(57)【要約】【課題】  仕掛けの糸切れ等で水中に残留することになっても環境負荷の少ない釣り用錘を提供する。【解決手段】  釣り用の錘１は、生分解性樹脂で形成される本体部２と、鉛以外の金属で形成される錘部３とを備え、本体部２と錘部３とが、インサート成型により、又は、予め成型された本体部に錘部が圧入され固定されることにより、一体成型されており、本体部２の上部には接続部４が設けられ、本体部２の下部からは錘部３の一部が露出している。【選択図】図２
0003234809.tif 000002
【実用新案登録請求の範囲】
【請求項１】
生分解性樹脂で形成される本体部と、
鉛以外の金属で形成される錘部とを備え、
前記本体部と前記錘部とが一体成型されている
ことを特徴とする釣り用錘。
【請求項２】
前記本体部と前記錘部とが、インサート成型により、又は、予め成型された本体部に錘部が圧入され固定されることにより、一体成型されている
ことを特徴とする請求項１記載の釣り用錘。
【請求項３】
前記本体部から前記錘部の一部が露出している
ことを特徴とする請求項１又は２記載の釣り用錘。
【請求項４】
本体部分となる釣り具本体部と、錘部分となる錘部とを備えた錘付きの釣り具であって、
前記釣り具本体部は、生分解性樹脂で形成され、
前記錘部は、鉛以外の金属で形成され、
前記釣り具本体部と前記錘部とが、インサート成型により、又は、予め成型された釣り具本体部に錘部が圧入され固定されることにより、一体成型されている
ことを特徴とする錘付きの釣り具。
【請求項５】
前記釣り具本体部は、生分解性顔料により色付けがされている
ことを特徴とする請求項４記載の錘付きの釣り具。
【考案の詳細な説明】
【技術分野】
【０００１】
本考案は、釣り用の錘、および、錘付きの釣り具に関する。
【背景技術】
【０００２】
釣りの仕掛けには、錘が使用される。仕掛けを沈ませて対象魚の近くに導くため、錘は不可欠な釣り道具であるといっても差し支えないといえる。従来、錘や錘付きの釣り具（例えば、サビキ釣りのサビキかご等）では、錘を構成する金属として鉛が用いられることが多い。
【０００３】
魚の引きや水中の障害物との接触等で糸切れが発生すると、錘の付いた仕掛けは海底や川底などに滞留することになる。そのため、糸切れを生じにくくするための提案がなされている。例えば、特許文献１では、糸切れ防止付きオモリ軸が開示されている。
【先行技術文献】
【特許文献】
【０００４】
【特許文献１】実開平２−６４６７号公報
【考案の概要】
【考案が解決しようとする課題】
【０００５】
しかしながら、糸切れを生じにくくするための方策を施したとしても、糸切れそのものを無くすることはできず、水中に錘の付いた仕掛け等が残留してしまうことは避けられない。鉛を含む錘が海底や川底などに残留すると、鉛の毒性は有害であるため環境汚染を招いてしまうという問題がある。
【０００６】
そこで、本考案は、このような問題に鑑みなされたものであり、仕掛けの糸切れ等で水中に残留することになっても環境負荷の少ない釣り用錘を提供することを目的とする。また、環境負荷の少ない錘付きの釣り具を提供することを目的とする。
【課題を解決するための手段】
【０００７】
上記課題を解決するために、本考案に係る釣り用錘は、生分解性樹脂で形成される本体部と、鉛以外の金属で形成される錘部とを備え、前記本体部と前記錘部とが一体成型されていることを特徴とする。そして、前記本体部と前記錘部とが、インサート成型により、又は、予め成型された本体部に錘部が圧入され固定されることにより、一体成型されていることを特徴とする。
【０００８】
これによれば、本体部が生分解性樹脂で形成され、錘部が鉛以外の金属で形成され、これらを一体成型により構成しているので、たとえ仕掛けの糸切れ等で錘が水中に取り残されても、本体部は生分解により無害化され、錘部は有害性の低い金属製であるため、環境負荷の少ない釣り用錘が実現可能となる。
【０００９】
ここで、前記本体部から前記錘部の一部が露出しているのが好ましい。
【００１０】
また、本考案に係る錘付きの釣り具は、本体部分となる釣り具本体部と、錘部分となる錘部とを備えた錘付きの釣り具であって、前記釣り具本体部は、生分解性樹脂で形成され、前記錘部は、鉛以外の金属で形成され、前記釣り具本体部と前記錘部とが、インサート成型により、又は、予め成型された釣り具本体部に錘部が圧入され固定されることにより、一体成型されていることを特徴とする。
【００１１】
これによれば、環境負荷の少ない錘付きの釣り具が実現される。
【００１２】
ここで、前記釣り具本体部は、生分解性顔料により色付けがされているのが好ましい。
【００１３】
これによれば、釣り具本体部の色付けに生分解性顔料を用いることで、釣り具本体が水中に取り残されても、生分解されるので環境汚染を防ぐことができる。
【考案の効果】
【００１４】
以上のように、本考案に係る釣り用錘によれば、生分解性樹脂で形成される本体と、鉛以外の金属で形成される錘部とを一体成型しているので、たとえ仕掛けの糸切れ等で水中に残留することになっても、本体部は生分解されて無害化され、錘部も有害性が低く環境汚染を招くおそれが少ないので、環境負荷の少ない釣り用の錘が実現可能となる。
【図面の簡単な説明】
【００１５】
【図１】本考案の実施形態の錘を示す下方斜視図である。
【図２】錘の正面図である。
【図３】本考案の第２実施形態のサビキかごを示す下方斜視図である。
【図４】サビキかごの正面図である。
【考案を実施するための形態】
【００１６】
以下、本考案の実施形態について図面を参照しながら説明する。
【００１７】
図１は、本考案の実施形態の錘を示す下方斜視図であり、図２は錘の正面図である。
【００１８】
本実施形態の錘１は、釣り用の錘であり、生分解性樹脂で形成される本体部２と、本体部２と一体成型された錘部３とを備えている。
【００１９】
本体部２は、錘１の本体部分を構成し、ポリエステル系樹脂などの生分解性樹脂（生分解性プラスチック）で形成されている。ここにいう生分解性樹脂は、微生物などによって分解し、最終的に水と二酸化炭素に完全に分解されるものをいう。土壌中のように大量に微生物（バクテリア等）が存在している環境下では生分解が進みやすいが、水中などでは微生物が少なく生分解が進みにくく、さらに、淡水よりも海水の方が生分解のペースが遅いといわれている。そのため、本体部２には、海水中における生分解性に優れている海洋生分解性プラスチックを用いるのが好ましい。
【００２０】
この本体部２は、錘部３と一体成型され、本体部２の下部から錘部３が露出するように構成されている。また、本体部２の上部には、道糸などの他の仕掛け部分と接続するための接続部４も形成されている。なお、ここに示す接続部４は、本体部２の上部から突出した構成で示しているが、接続部４の形態はこれに限られず、例えば、本体部２の上部に貫通孔を形成したものであってもよい。
【００２１】
錘部３は、錘１を釣り用錘として機能させるため金属で構成された錘部で、本体部２と一体成型されている。錘部３で用いられる金属は、鉛以外の金属であり、具体的には鉄や亜鉛、タングステンなど、また、鉛を含まないこれらの合金である。これらの金属は鉛に比して環境負荷が著しく少ない。このような金属で錘部３を構成することにより、錘１が仕掛けの糸切れ等で水中に残留することになっても環境への負荷を少なくすることができる。
【００２２】
射出成型機を用いたインサート成型によって、本体部２と錘部３とは一体成型されている。ここでは、錘１として、本体部２の下部から錘部３が露出する構成を示しているが、本体部２に錘部３が内包される構成としてもよい。
【００２３】
なお、錘１が着底したとき、生分解性樹脂製の本体部２よりも金属製の錘部３の方が海底や河底の状況を感知しやすい。そのため、本体部２から錘部３の一部を露出させる構成とする方が、釣果の点で好ましい。
【００２４】
また、射出成型機で成型する場合、金型への錘部３の配置が容易になるので、製造作業の容易性という点でも好ましい。
【００２５】
さらに、本体部２を形成する生分解性樹脂の原材料費よりも錘部３を形成する金属の原材料費の方が安価である場合が多いため、本体部２が錘部３をすべて被覆する構成よりも錘部３の一部を露出させる構成の方が製造コストの点で有利ともいえる。
【００２６】
なお、本体部２から錘部３の一部を露出させる構成とする場合は、上記のインサート成型によるものではなく、予め成型されている本体部２に錘部３を圧入して固定し、本体部２と錘部３とを一体成型するようにしてもよい。
【００２７】
このように、本実施形態の錘によれば、生分解性樹脂で形成される本体部と、鉛以外の金属で形成される錘部とが一体成型されているので、仕掛けの糸切れ等で水中に残留することになっても、本体部は生分解され、錘部は有害性が低く環境汚染を招くおそれが少ないので、環境負荷の少ない釣り用の錘を実現することができる。
【００２８】
続いて、本考案の第２実施形態について説明する。
【００２９】
図３は第２実施形態のサビキかごを示す下方斜視図であり、図４はサビキかごの正面図である。
【００３０】
第２実施形態のサビキかご５は、錘付きの釣り具であり、生分解性樹脂で形成されるかご本体部６と、かご本体部６と一体成型された錘部７とを備えている。
【００３１】
かご本体部６は、錘付きの釣り具の本体部分を構成し、上記実施形態の本体部２と同様に生分解性樹脂で形成されている。また、かご本体部６の上部には、他の仕掛け部分と接続するための接続部８も形成されている。
【００３２】
錘部７は、錘付きの釣り具の錘部分を構成し、上記実施形態の錘部３と同様に環境負荷の少ない金属で形成されている。
【００３３】
サビキかご５は、上記実施形態の錘１と同様に、射出成型機を用いたインサート成型によって、又は、先に成型されているかご本体部６に錘部７を圧入して固定することによって、かご本体部６と錘部７とが一体成型されている。
【００３４】
サビキかご５の本体かご部分であるかご本体部６は、集魚効果を高める等の観点から顔料で色付けされることもある。このとき、かご本体部６の色付けに用いる顔料として生分解性顔料を用いるのが好ましい。かご本体部６の色付けにおいても生分解性顔料を用いることにより、サビキかご５が水中に取り残された場合でも、生分解されるので環境汚染を抑止することができる。
【００３５】
このように、第２実施形態のサビキかごによれば、生分解性樹脂で形成されるかご本体部と、鉛以外の金属で形成される錘部とが一体成型されているので、水中に残留しても、本体部は生分解され、錘部の有害性は低く環境を汚染する危険性も少ないので、環境負荷の少ないサビキかごが実現可能となる。
【００３６】
以上、本考案に係る釣り用錘および錘付きの釣り具について、実施の形態に基づいて説明したが本考案はこれに限定されるものではなく、本考案の目的を達成でき、かつ考案の要旨を逸脱しない範囲内で種々設計変更が可能であり、それらも全て本考案の範囲内に包含されるものである。
【００３７】
例えば、上記第２実施形態では、錘付きの釣り具としてサビキかごを説明したが、別の錘付きの釣り具としてもよく、例えば、投げ釣り用天秤（ジェット天秤）等であってもよい。
【産業上の利用可能性】
【００３８】
本考案は、釣り用の錘やサビキかご等の錘付きの釣り具等に適用可能である。
【符号の説明】
【００３９】
１  錘
２  本体部
３，７  錘部
４，８  接続部
５  サビキかご
６  かご本体部
【図１】
0003234809.tif 000003
【図２】
0003234809.tif 000004
【図３】
0003234809.tif 000005
【図４】
0003234809.tif 000006